(57)【要約】      （修正有）【課題】電池の消費を防ぎ、災害時の警報ベル、防水型充電式等を兼ね備えた防犯ブザーを提供する。【解決手段】長方形箱型のベースケースとそれにかぶさるケース上蓋１から成る。ケース上蓋１に、縁の内側を周回して防水用溝切２を形設し、長手辺の中央に対向的に防水用フックを付け、ケース上蓋１の内側中央部にブザー部を設け、ブザー部の上部を占める共鳴部４の外輪郭にブザー押え５を設け、上蓋１の任意の隅辺に充電ランプ６を設ける。ブザー部には、災害時警報ベルも併設する。ベースケース底外側に短手の一方寄りの位置に安全ピンフックを設ける。ベースケースの短手縁を貫通する形で、防水ゴム栓が充電プラグの口をふさぐ形となる。ＧＰＳブザー接合部とブザースイッチ接点部を列設し、ブザースイッチにはブザー用紐を付ける。溝切には防水用パッキンまたはＯリングをはめる。ブザースイッチを稼動させるとＧＰＳ機能が作動する。【選択図】図１
2017033514.tif 000002
【特許請求の範囲】
【請求項１】
主要に、長方形箱型のベースケースと、それにかぶせるケース上蓋から成り、ケース上蓋の縁の内側を周回して防水溝切を形設し、長手辺の中央に対向的に防水用フックを付け、ケース上蓋の内側中央部に、ブザー部を設け、ブザー部の上部を占める共鳴部の外輪郭にブザー押えを設け、上蓋の任意の隅辺に充電ランプを設け、ブザー部には災害時警報ベルも併設し、ベースケース低外側の短手一方側寄りの位置に安全ピンフックを付け、ベースケースの長辺一方側寄りに電池ケースを設け、短手辺の他方側の電池ケースとの間に、充電プラグが取付けられ、ベースケースの短手縁を貫通する形で、防水ゴム栓が充電プラグの口をふさぎ防水となり、この充電プラグの横隅一帯に、ＧＰＳ接合部とブザースイッチ接点部を列設し、ブザースイッチにはブザー用紐付け部を設け、それにブザー紐を付け、ベースケースの縁の内側を周回して防水溝切を設け、長辺中央部に上蓋の防水用フックと嵌合する位置に、防水用フック溝を設け、溝切には防水用パッキンまたはＯリングをはめ、フル充電になるとランプが消え、ブザースイッチを稼動させると初めてＧＰＳ機能が作動し、防犯ベル、災害時警報ベル、少エネＧＰＳ、充電式、防水型等をそなえたことを特徴とする、ファイブポイント防犯ブザー。
【発明の詳細な説明】
【技術分野】
【０００１】  本発明は、防犯ブザーだけでなく、少エネのＧＰＳ機能、災害時警報ベル、防水型および蛍光塗料等を使用し、暗くなっても事故防止となり、安全ピンで洋服に付けることができる。多機能の防犯ブザーである。
【背景技術】
【０００２】  従来、防犯ブザーは、防犯ブザー、ＧＰＳ機能、防滴型仕様のものが多くある。
紐で引く型、ボタンを押す型がある。取り付けは、どれもランドセルにフック式か紐状のもので付ける。乾電池使用のため、電池が２４時間作動するので、電池がもたない。
災害時警報ベル付、防水型、充電式、蛍光式のものはない。
【発明の概要】
【発明が解決しようとする課題】
【０００３】  多数ある防犯ブザーは、ＧＰＳ機能、防滴型を使用しているものもあるが、災害時の警報ベル、防水型、充電式、蛍光式のものはない。装着もほとんどの児童が、ランドセルのフックに付けている。家に帰り遊びに外出したさい、現社会状態では、登下校より危険であり、安全ピンを使用し、胸に付けるだけで抑止力となる。児童だけでなく、女性もバック等に使用し、スマホ、携帯を捨てられても追跡が可能であり、痴漢、ストーカー等の防止になる。蛍光塗料、蛍光材質のもので製作し、暗くなっても光ることにより、事故防止にもなる。電池は充電式とし、つねにフル充電の状態となる。電池は放置すると、自然放電により、いつ電池効力が無くなるかわかりづらい。ましてＧＰＳ機能等に常時通電していると、電池の消費は早い。必要な時に電池切れでは付けている意味がない。
本発明は、以上の問題を解決するためになされたものである。
【課題を解決する手段】
【０００４】  長方形箱型のベースケースとそれにかぶさるケース上蓋から成る。ケース上蓋に、縁の内側を周回して防水溝切を形設し、長手辺の中央に対向的に防水用フックを付け、ケース上蓋の内側中央部にブザー部を設け、ブザー部の上部を占める共鳴部の外輪郭にブザー押えを設け、上蓋の任意の隅辺に充電ランプを設ける。又、ブザー部には、災害時警報ベルも併設する。ベースケース底外側に短手の一方寄りの位置に安全ピンフックを設ける。ベースケースの長辺の一方側寄りに電池ケースを設け、短手辺の他方側で電池ケースとの間に、充電プラグが取り付けられ、ベースケースの短手縁を貫通する形で、防水ゴム栓が充電プラグの口をふさぐ形となる。この充電プラグの横隅一帯に、ＧＰＳブザー接合部とブザースイッチ接点部を列設し、ブザースイッチにはブザー用の紐を付ける。ベースケースの縁の内側を周回して防水用溝切りを設け、長辺中央部に上蓋の防水用フックと嵌合する位置に、防水用フック溝を設ける。溝切には防水用パッキンまたはＯリングをはめる。フル充電になるとランプが消える。ブザースイッチを稼動させるとＧＰＳ機能が作動する。
本発明は、以上の様な構成である。
【発明の効果】
【０００５】  従来の、防犯ブザーは、ＧＰＳ機能付き防滴型のものはあるが、災害時防災警報、防水型、充電式のものはない。問題点は、電池交換を注意していないと、２４時間作動しているため、消費が早く大事な時に、ブザーが鳴らない状態になることがある。本発明の防犯ブザーは、紐を引いた時点で、初めてＧＰＳ機能が作動する。電池がフル充電にあるため、スマホ、携帯を捨てられても追跡ができる。また、防水加工のため、水をかぶっても機能に影響はない。一般の防犯ブザーは、ランドセルのフックに付けていることが多い。自宅に帰り、遊びに外出したさい無防備となる。安全ピンで胸に付けることで安心である。ケースは、蛍光塗料か、蛍光塗料材質のもので製作することにより、暗いときにも事故防止になる。現社会状態では、大都会では人も車も多く、かえって安全性がある。地方自治体では、本道でも日中に車は通るが、人がいない。一本脇道に入ると、車もほとんどなく危険が多い。市町村によっては、山、川、海があり、子供たちは遊びに行く。このような時、胸に防犯ブザーを付けていれば抑止力となり、災害時に警報ベルが鳴ることにより、家に帰ることができ、地方では知らない家でも、助けを求めれば対応してくれる。地域により、夏は６時、冬は５時に帰宅用の音楽が鳴る。走って帰ってくるが、冬などは暗くなって家につく。蛍光塗料、蛍光材質のもので、製作することで、暗くなっても事故防止にもなる。安全ピンで怪我をした症例はなく、洋服に、安全ピンが付けられるデザイン性の高いものが製作されるとよいと思う。
本発明は、防犯ベル、災害時警報ベル、少エネＧＰＳ機能、防水型、蛍光式にすることにより、より安全性を高めたものである。
【図面の簡単な説明】
【０００６】
【図１】  本発明の一部であるケース上蓋の正面図
【図２】  本発明の一部であるベースケース正面図
【図３】  本発明の一部であるブザー部の側面図
【図４】  本発明の一部である充電部の側面図
【発明を実施するための形態】
【０００７】  以下、本発明の実施の形態を説明する。
本発明を使用するときは、ケース上蓋（１）に、防水用溝切（２）をほどこし、防水用フック（３）を設け、ブザー共鳴部（４）にブザー押え（５）を設け、充電式のため充電ランプ（６）を設ける。ベースケース（７）の裏側に、常に付けていられるように安全ピンフック（８）をつくり、防水用溝切（９）を設け、防水用フック溝（１０）をつくる。防水用パッキンまたはＯリング（１２）をはめ込むことで完全防水となる。ベースケース（７）の中に、電池ケース（１６）を収める。充電用プラグ（（１７）で充電が完了すると充電ランプ（６）の色が消える。充電プラグ（１７）に防水ゴム栓（１８）を差し込むことで防水となる。ＧＰＳ接点部（１１）の下部に、ブザー部（１３）を設け、ブザー部（１３）を使用し災害時警報ベル（２１）も鳴る。ブザー部（１３）にブザースイッチ接点部（１４）を設け、ＧＰＳブザーの接合部（１５）をつくる。ＧＰＳブザーの接合部（１５）にブザー用紐付け部（１９）を設け、ブザー紐（２０）をつける。ブザー紐（２０）を引くと防犯ベルが鳴り、初めてＧＰＳ接点部（１１）が作動するようになっているので、電池の消費量が低い。ケース上蓋（１）の防水用フック（３）と、ベースケース（７）の防水用フック溝（１０）をはめ込むことで防水となる安全性を高めたものである。
【符号の説明】
【０００９】  １    ケース上蓋
２    防水用溝切
３    防水用フック
４    ブザー共鳴部
５    ブザー押え
６    充電ランプ
７    ベースケース
８    安全ピンフック
９    防水用溝切
１０  防水用フック溝
１１  ＧＰＳ接点部
１２  防水用パッキンまたはＯリング
１３  ブザー部
１４  ブザースイッチ接点部
１５  ＧＰＳブザーの接合部
１６  電池ケース
１７  充電プラグ
１８  防水ゴム栓
１９  ブザー用紐付部
２０  ブザー用紐
２１  災害時警報ベル
【図１】
2017033514.tif 000003
【図２】
2017033514.tif 000004
【図３】
2017033514.tif 000005
【図４】
2017033514.tif 000006